(57)【要約】【課題】  簡単な構成で複数の色の発光が可能であり、昼夜を問わず視認性が良く、合図の内容を容易に且つ正確に伝達することができる合図灯を提供する。【解決手段】  発光する円筒状の本体部１２と、本体部１２内に取り付けられた持ち手１４を有し、本体部１２に取り付けられ異なる色の光を出す複数のＬＥＤ１８と、ＬＥＤ１８を色別に発光させる切替用のスイッチ２８を有する。ＬＥＤ１８が取り付けられる１枚の基板１６を本体部１２の長手方向に沿って設け、基板１６の両面に対して互い違いに交互に複数のＬＥＤ１８を配置し、各ＬＥＤ１６は、隣接するＬＥＤ１８同士で異なる発光色となるように配置されている。本体部１２内には、光を方々に散乱させるフレキシブルなプリズムシート２０を円筒状にして設け、基板１６及びＬＥＤ１８をプリズムシート２０により囲んで成る。【選択図】図１
2005197134.tif 000002
【特許請求の範囲】
【請求項１】
発光する円筒状の本体部と、この本体部内に取り付けられた持ち手を有し、上記本体部に取り付けられ異なる色の光を出す複数の発光ダイオードと、上記発光ダイオードを色別に発光させる切替装置とを有した合図灯において、上記発光ダイオードが取り付けられる１枚の基板を上記本体部の長手方向に沿って設け、この基板の両面に対して互い違いに交互に複数の発光ダイオードを配置し、上記各発光ダイオードは、隣接する発光ダイオード同士で異なる発光色となるように配置されていることを特徴とする合図灯。
【請求項２】
上記本体部内には、光を方々に散乱させるフレキシブルなプリズムシートを円筒状にして設け、上記発光ダイオードを上記プリズムシートにより囲んで成ることを特徴とする請求項１記載の合図灯。
【請求項３】
上記発光ダイオードは、赤と、緑もしくは青、及び黄の発光色の適宜の組み合わせにより、同時に点滅または所定の時間差で点滅するようにした請求項１または２記載の合図灯。
【発明の詳細な説明】
【技術分野】
【０００１】
この発明は、屋外の工事現場やその他の警備、交通整理、誘導等の際に、自動車や通行者に所定の合図を送るために用いられる合図灯に関する。
【背景技術】
【０００２】
従来、例えば屋外の工事現場周辺等で警備員が、通行する自動車や人を手動で誘導するための合図灯は、赤色で棒状の本体とその延長方向に設けられた棒状の持ち手から成っていた。本体の内側には赤色の発光をするランプや発光ダイオード（以下ＬＥＤという）等の発光装置が設けられていた。
【０００３】
また、特許文献１に開示されているように、本体内に複数の発光色の異なるＬＥＤを設け、持ち手側で切り換え可能としたものも提案されている。その他、特許文献２，３に開示されているように、合図等の筒体内にＬＥＤ用の基板を収納し、この基板の両面に発光色の異なるＬＥＤを複数配列した合図等も提案されている。
【特許文献１】特開平１１−２１３７０１号公報
【特許文献２】特開平１０−１２５１０２号公報
【特許文献３】実開平４−４４０９７号公報
【発明の開示】
【発明が解決しようとする課題】
【０００４】
上記従来の技術の一般的な合図灯の場合、合図灯の色は赤一色であり、合図に際しては合図灯本体の動きや、本体の向きが水平か垂直かの位置で区別して合図するだけなので、自動車の運転手や歩行者にとって意味が分かりにくく、また警備員によっては、合図灯の振り方や指示の仕方が異なる場合もあり、見る者にとって、通行して良いかどうかの判別に迷う場合があった。
【０００５】
また上記従来の技術の特許文献１の場合、ＬＥＤの配置が複雑で難しく、多数のＬＥＤを設けないと視認性が悪いと言う問題があった。さらに、特許文献２，３の場合、筒本体が全体的に均一に所望の発光色とは成らず、ＬＥＤの位置により明るさにムラがあると言う問題があった。
【０００６】
この発明は、上記従来の技術の問題点に鑑みてなされたもので、簡単な構成で複数の色の発光が可能であり、昼夜を問わず視認性が良く、合図の内容を容易に且つ正確に伝達することができる合図灯を提供することを目的とする。
【課題を解決するための手段】
【０００７】
この発明は、発光する円筒状の本体部と、この本体部内に取り付けられた持ち手を有し、上記本体部に取り付けられ異なる色の光を出す複数の発光ダイオードと、上記発光ダイオードを色別に発光させる切替装置とを有した合図灯であって、上記発光ダイオードが取り付けられる１枚の基板を上記本体部の長手方向に沿って設け、この基板の両面に対して互い違いに交互に複数の発光ダイオードを配置し、上記各発光ダイオードは、隣接する発光ダイオード同士で異なる発光色となるように配置されている合図灯である。
【０００８】
上記本体部内には、光を方々に散乱させるフレキシブルなプリズムシートを円筒状にして設け、上記発光ダイオードを上記プリズムシートにより囲んで成る合図灯である。上記発光ダイオードは、赤と、緑もしくは青、及び黄の発光色の適宜の２色または３色の組み合わせにより、同時に点滅または所定の時間差で点滅するようにしたものである。
【発明の効果】
【０００９】
この発明の合図灯は、道路用の交通信号と同じように赤、緑等の複数の色に発光させることができるため、視認し易く、通行して良いかどうかの判別が容易で、安全性が高いものである。また、一枚の基板上にＬＥＤを互いに違いに交互に配置し、カバーで覆っているので、少ないＬＥＤで視認性がよいものとすることができる。さらに、プリズムシートで覆うことにより、本体部が均一に発光し、特に夜間の視認性が向上する。
【発明を実施するための最良の形態】
【００１０】
以下、この発明の実施形態について、図面に基づいて説明する。図１〜図３はこの発明の一実施形態を示すもので、この実施形態の合図灯１０は、棒状の本体部１２と、本体部１２の基端部の延長方向に設けられた棒状の持ち手１４から成る。
【００１１】
本体部１２内には、図３に示すように、本体部１２の長手方向に沿って挿入された一枚の細長い基板１６が設けられ、基板１６の両面には一定間隔で互い違いに複数個のＬＥＤ１８が取り付けられている。ＬＥＤ１８の発光色は２種類あり、赤色の発光を行なう赤色発光ＬＥＤ１８ａと緑色の発光を行なう緑色発光ＬＥＤ１８ｂが、基板１６の両面で各々交互に所定位置に設けられている。各ＬＥＤ１８は、基板１６の両面に１列に配置されている。
【００１２】
本体部１２には、図２、図３に示すように、基板１６及びＬＥＤ１８を囲む円筒状の透光性のプリズムシート２０が設けられている。さらに、プリズムシート２０の外側に、有底筒状の透明なカバー２２が設けられている。カバー２２は無色透明なポリカーボネイト等で作られている。
【００１３】
基板１６には、各ＬＥＤ１８に接続されるプリント配線が設けられ、基板１６の基端部は、ＬＥＤ１８を発光・消灯・点滅させる制御部２４のケース部突起２４ａに固定されている。また、基板１６の先端部は、本体部１２のカバー２２先端に取り付けられたキャップ１３の内側の保持突起１３ａに固定されている。
【００１４】
持ち手１４の内側には、ＬＥＤ１８に接続される電池２６が挿入されている。電池２６は、充電式のものでも良く市販の乾電池でも良い。持ち手１４の本体部１２側付近には、ＬＥＤ１８を点灯させたり発光色を変更する操作部の切替装置であるスイッチ２８が設けられている。
【００１５】
この実施形態の合図灯１０の使用方法は、警備員等が持ち手１４を手に持ち、ＬＥＤ１８を点灯させ自動車や歩行者を誘導する。例えば、自動車や歩行者を通行させるときは、スイッチ２８を選択して緑色発光ＬＥＤ１８ｂを点灯させる。また、通行を止めるときは、赤色発光ＬＥＤ１８ａを点灯させるスイッチ２８を押して点灯させる。なお、点灯状態は、常時点灯させたり、点滅状態で点灯したり、点滅状態が流れるように動くスクロール点灯でも良い。特に、スクロール点灯にすることにより視認性が向上する。
【００１６】
この実施形態の合図灯１０によれば、道路用の交通信号と同じように赤、緑を切り替えて発光させることができるため、視認しやすく、通行して良いかどうかの判別も容易で安全である。また、ＬＥＤ１８は、１枚の基板１６上
に交互に互い違いに両面に設けられているので、多数のＬＥＤ１６を効率的に配置することができ、少ないＬＥＤ１６の素子数で効率的な発光が可能となり、収容体積も小さいものとすることができる。また本体部１２のプリズムシート２０により、より見やすく発光するため、遠方からでも視認しやすいものである。また、市販の乾電池による点灯においても、６０〜８０時間の点灯時間が得られ、長時間の使用にも十分に耐え得る。
【００１７】
なお、この発明の合図灯は、上記実施形態に限定されるものではなく、道路に設置されたパイロンの頭部に取り付けて誘導灯としても良く、工事現場の足場等に取り付けて、危険箇所の表示灯としても良い。このような使用であっても丸１日以上電池が持つので、十分に機能するものである。
【００１８】
また、圧電ブザー等により適宜の警報音を発生させるようにしたものや、音声合成ＬＳＩ等を設けて、誘導や警告を音声で知らせるようにしたものでも良い。これにより、音と光でより確実に誘導や警告を行うことができる。
【００１９】
また、この発明の合図灯は、各部材の形状等を適宜変更可能であり、ＬＥＤの配置は上記以外でも良く、ＬＥＤの発色の種類は、赤と緑の２色の他、赤と青でも良く、黄色を加えても良い。
【００２０】
さらに、この発明の合図灯の本体部先端または持ち手部に、照明用のランプまたは白色ＬＥＤを設けても良い。これにより、夜間等において足元を照らしたり、前方を照らして確認作業等を容易にすることができる。
【００２１】
ＬＥＤの種類は適宜選択可能なものであり、より明るく低消費電力のものが好ましく、高輝度ＬＥＤでも良い。また、一つのＬＥＤ素子中に複数の色を発光可能なダイオードでも良く、この場合、より効率的に発光ダイオードを配置することができる。例えば、赤と青（緑も含む）色を一つの素子で発光するダイオードを用いることにより、素子数を増やして明るくしたり、素子を効率的に配置してコストダウンを図ることもできる。
【図面の簡単な説明】
【００２２】
【図１】この発明の一実施形態の合図灯の部分破断斜視図である。
【図２】この実施形態の合図灯の正面図である。
【図３】この実施形態の合図灯の縦断面図である。
【符号の説明】
【００２３】
１０  合図灯
１２  本体部
１４  持ち手
１６  基板
１８  ＬＥＤ
２０  プリズムシート
２２  カバー
２４  制御部
２８  スイッチ
【図１】
2005197134.tif 000003
【図２】
2005197134.tif 000004
【図３】
2005197134.tif 000005